(57)【要約】      （修正有）【課題】Ｘ線検出器の使用時の作業負荷を低減させることを可能にする移動型Ｘ線診断装置を提供する。【解決手段】移動型Ｘ線診断装置１は、装置本体９と、支柱２やアーム３などの支持機構と、収納部１０とを備える。装置本体は、Ｘ線管４によるＸ線の発生を制御する。支持機構は、Ｘ線管を支持する。そして、収納部は、装置本体の支持機構側にＸ線を検出するＸ線検出器を格納し、装置本体の側面の方向からＸ線検出器を出し入れ可能に設けられる。【選択図】図４
2015083126.tif 000002
【特許請求の範囲】
【請求項１】
Ｘ線管によるＸ線の発生を制御する本体部と、
前記Ｘ線管を支持する支持機構と、
前記本体部の前記支持機構側に前記Ｘ線を検出するＸ線検出器を収納する収納部と、
を備え、
前記収納部は、前記本体部の側面の方向から前記Ｘ線検出器を出し入れ可能に設けられることを特徴とする移動型Ｘ線診断装置。
【請求項２】
前記収納部は、前記支持機構側に突出するように前記本体部に設けられ、前記本体部の走行方向と平行となる両側面と同一の面それぞれに開口部分を有することを特徴とする請求項１に記載の移動型Ｘ線診断装置。
【請求項３】
前記収納部は、前記Ｘ線検出器の収納部分の底部に、前記開口部分に向かって所定の勾配で高くなる立上部を有することを特徴とする請求項２に記載の移動型Ｘ線診断装置。
【請求項４】
前記立上部は、前記Ｘ線検出器による加重に応じて高さが変化することを特徴とする請求項３に記載の移動型Ｘ線診断装置。
【請求項５】
前記収納部は、前記本体部における前記支持機構側及び前記支持機構側に対向する側にそれぞれ備えられることを特徴とする請求項１乃至４のいずれか一項に記載の移動型Ｘ線診断装置。
【請求項６】
前記収納部は、前記支持機構側に突出するように前記本体部に設けられ、前記本体部の走行方向と平行となる方向を回転軸として回転することで、前記Ｘ線検出器が出し入れされる開口部分が前記側面の方向に向くように設けられることを特徴とする請求項１乃至５のいずれか一項に記載の移動型Ｘ線診断装置。
【請求項７】
Ｘ線管によるＸ線の発生を制御する本体部と、
前記Ｘ線管を支持する支持機構と、
前記本体部の前記支持機構側に前記Ｘ線を検出するＸ線検出器を収納する第１収納部と、
前記本体部において前記第１収納部に対向する側に前記Ｘ線検出器を収納する第２収納部と、
を備えることを特徴とする移動型Ｘ線診断装置。
【発明の詳細な説明】
【技術分野】
【０００１】
本発明の実施の形態は、移動型Ｘ線診断装置に関する。
【背景技術】
【０００２】
従来、病室などに移動させてＸ線画像を撮影する移動型Ｘ線診断装置が知られている。例えば、移動型Ｘ線診断装置は、Ｘ線を発生するＸ線管と、Ｘ線管が発生したＸ線の照射野を調節するＸ線可動絞りと、Ｘ線管及びＸ線可動絞りを支持する支持機構と、移動型Ｘ線診断装置の各種制御を実行する装置本体と、装置を移動するための車輪を備える。そして、移動型Ｘ線診断装置は、操作者によって病室まで移動され、病室内のベッド上にいて簡単に身動きできない患者（例えば、点滴中、寝たきり、両足負傷による歩行困難など）に対してＸ線画像の撮影を実行する。そして、移動型Ｘ線診断装置は、Ｘ線画像の撮影が終了すると、病室の外に移動させられる。
【０００３】
ここで、移動型Ｘ線診断装置によるＸ線画像の撮影においては、イメージングプレート（ＩＰプレート）や、平面検出器（ＦＰＤ：Flat  Panel  Detector）などのＸ線検出器が患者とベッドとの間に配置される。このようなＸ線検出器は、移動型Ｘ線診断装置の移動時には、移動型Ｘ線診断装置に備えられた収納部に収められ、Ｘ線画像の撮影時に取り出され、使用される。しかしながら、上述した従来技術においては、Ｘ線検出器の使用時に操作者の作業負担が大きかった。
【先行技術文献】
【特許文献】
【０００４】
【特許文献１】特開２０１３−０２２１８６号公報
【発明の概要】
【発明が解決しようとする課題】
【０００５】
本発明が解決しようとする課題は、Ｘ線検出器の使用時の作業負荷を低減させることを可能にする移動型Ｘ線診断装置を提供することである。
【課題を解決するための手段】
【０００６】
実施の形態の移動型Ｘ線診断装置は、本体部と、支持機構と、収納部とを備える。本体部は、Ｘ線管によるＸ線の発生を制御する。支持機構は、前記Ｘ線管を支持する。収納部は、前記本体部の前記支持機構側に前記Ｘ線を検出するＸ線検出器を収納し、前記本体部の側面の方向から前記Ｘ線検出器を出し入れ可能に設けられる。
【図面の簡単な説明】
【０００７】
【図１】図１は、第１の実施形態に係る移動型Ｘ線診断装置の全体構成の一例を示す図である。
【図２】図２は、従来技術に係る移動型Ｘ線診断装置の全体構成の一例を示す図である。
【図３】図３は、従来技術に係る移動型Ｘ線診断装置を用いたＸ線画像の撮影フローの一例を示す図である。
【図４】図４は、第１の実施形態に係る収納部の一例を示す図である。
【図５】図５は、第１の実施形態に係る立上部の構成の一例を示す図である。
【図６】図６は、第２の実施形態に係る収納部の一例を示す図である。
【図７】図７は、第３の実施形態に係る移動型Ｘ線診断装置の全体構成の一例を示す図である。
【発明を実施するための形態】
【０００８】
以下、添付図面を参照して、移動型Ｘ線診断装置の実施形態を詳細に説明する。なお、以下では、本願に係る移動型Ｘ線診断装置として、Ｘ線管を支持する支持機構に支柱とアームとが用いられる移動型Ｘ線診断装置を例に挙げて説明する。
【０００９】
（第１の実施形態）
まず、図１を用いて、第１の実施形態に係る移動型Ｘ線診断装置の全体構成の一例を説明する。図１は、第１の実施形態に係る移動型Ｘ線診断装置１の全体構成の一例を示す図である。図１においては、図１の（Ａ）がＸ線管の収納時の状態を示し、図１の（Ｂ）がＸ線画像の撮影時の状態を示す。図１の（Ａ）に示すように、移動型Ｘ線診断装置１は、支柱２と、アーム３と、Ｘ線管４と、Ｘ線可動絞り５と、前輪６と、後輪７と、操作ハンドル８と、装置本体９と、収納部１０とを備える。
【００１０】
支柱２は、図１の（Ａ）に示すように、移動型Ｘ線診断装置１のフロント側（前輪６側）に配置され、アーム３の一端が連結されることで、アーム３を支持する。アーム３は、一端が支柱２と連結され、他端にＸ線管４とＸ線可動絞り５とが配置される。ここで、アーム３は、支柱２によって上下に自在にスライドするように連結される。例えば、支柱２にレールが設置され、アーム３は一端がレールと連結されてレール上を移動することにより、上下にスライドする。また、アーム３は、支柱２の長軸に直交する方向に伸縮する。すなわち、アーム３は、Ｘ線管４の収納時には、収縮してＸ線管４が突き出ないように収納し、Ｘ線画像の撮影時には、Ｘ線管４をより遠くに到達させるように伸張する。
【００１１】
Ｘ線管４は、装置本体９に含まれる高電圧発生部（不図示）と接続され、高電圧発生部から供給される高電圧を用いて、Ｘ線を発生する。Ｘ線可動絞り５は、２対の可動制限羽根を有し、各対における可動制限羽根が開閉することでＸ線の照射野を調整する。すなわち、Ｘ線可動絞り５は、Ｘ線管４によって円錐状に発せられたＸ線が所定の照射野に照射されるように可動制限羽根が開閉される。なお、Ｘ線可動絞り５においては、可動制限羽根によって調整されたＸ線の照射野を照光する照光ランプが備えられる。すなわち、操作者は、照光ランプを点灯させた状態で可動制限羽根の調節する２つのつまみを回転させることで、視覚的に照射野を確認しながら、可動制限羽根の開度を調節することができる。
【００１２】
前輪６は、旋回自在の車輪であり、例えば、１対のキャスターなどである。後輪７は、図示しないモータなどが連結された駆動輪であり、操作者による操作に応じて駆動する。一例を挙げると、後輪７は、操作ハンドル８に備えられた圧力センサによって所定の圧力が検知されたり、操作ハンドル８付近に配置された駆動ボタンが押下されたりすることによりモータが駆動され、モータによる動力によって駆動する。
【００１３】
操作ハンドル８は、操作者が移動型Ｘ線診断装置１を移動させる際に操作されるハンドルである。例えば、操作者は、操作ハンドル８を握った状態で駆動ボタンを押下することで、移動型Ｘ線診断装置１を前進させたり、後進させたりすることができる。或いは、操作ハンドル８が圧力センサを備え、操作者によって操作される方向（例えば、操作者が装置本体９のリア側（後輪７側）に立ち、フロント側を向いて操作ハンドル８を把持して、操作ハンドル８を押している場合に前進、操作ハンドル８を引いている場合に後進など）を検知して、モータを所望の方向に駆動させることも可能である。なお、移動型Ｘ線診断装置１は、上記した駆動ボタンの押下が止められたり、或いは、圧力センサによる検知が無くなったりすると、ブレーキがかかるように制御される。
【００１４】
収納部１０は、ＩＰプレートやＦＰＤ（Flat  Panel  Detector）１１などのＸ線検出器を収納する。ここで、収納部１０は、Ｘ線検出器の使用時の作業負荷を低減させることが可能となるように形成される。なお、収納部１０の詳細については、後述する。
【００１５】
装置本体９は、移動型Ｘ線診断装置１の各部を制御する制御部、各種データを記憶する記憶部、外部から供給される電力を蓄電するバッテリ、種々の操作を受け付ける操作部、及び、種々の情報を表示する表示部などを有する。そして、装置本体９は、移動型Ｘ線診断装置１の移動に関する各種処理及びＸ線画像の撮影に関する各種処理の制御を実行する。例えば、装置本体９は、装置本体９の上面に配置された操作部から転送された操作者の指示に従って高電圧発生部を制御し、Ｘ線管４に供給する電圧を調整することで、患者に対して照射されるＸ線量やＯＮ／ＯＦＦを制御する。また、例えば、装置本体９は、操作者の指示に従ってＸ線可動絞り５を制御し、Ｘ線可動絞り５が有する可動制限羽根の開度を調整することで、患者に対して照射されるＸ線の照射野を制御する。また、装置本体９は、操作ハンドル８に備えられた圧力センサによって検知された圧力や、押下ボタンによって受け付けられた操作に応じて、内蔵するモータを駆動させて、モータによる動力によって後輪７を駆動させる。
【００１６】
また、装置本体９は、操作者の指示に従って、画像データ生成処理や、画像処理、あるいは解析処理などを制御する。また、装置本体９は、操作者の指示を受け付けるためのＧＵＩや記憶部が記憶する画像などを、表示部のディスプレイに表示するように制御する。以下、移動型Ｘ線診断装置１を用いたＸ線画像の撮影の流れの一例を説明する。例えば、移動型Ｘ線診断装置１は、待機時には病院の各フロアの廊下などに置かれ、バッテリの蓄電容量に応じて充電される。そして、使用時には、移動型Ｘ線診断装置１は、専用の鍵などによりロックが解除され、操作者が操作ハンドル８を操作するとともに、駆動ボタン（或いは、圧力センサなど）により後輪７を駆動させることで病室などに移動される。
【００１７】
そして、病室に移動すると、操作者は、図１の（Ｂ）に示すように、アーム３を上昇させた後、長手方向を軸に支柱２を旋回させて、Ｘ線管４及びＸ線可動絞り５を装置本体９の前方に向ける。そして、操作者は、アーム３を伸ばし、患者の撮影部位にＸ線が照射される位置にＸ線管４を配置する。ここで、操作者は、Ｘ線可動絞り５に備えられたスイッチやつまみなどを用いて、撮影部位が照射野に入るように調節する。そして、ＦＰＤ１１や、ＩＰプレートなどのＸ線検出器が患者の撮像部位とベッドとの間にセットされ、Ｘ線画像が撮影される。
【００１８】
このように、移動型Ｘ線診断装置１は、使用時に患者のいる病室に移動され、患者の撮影部位とベッドとの間にＦＰＤ１１やＩＰプレートなどがセットされ、Ｘ線管４の位置及び照射野が調整されてＸ線画像が撮影されるが、かかる撮影に際して、従来の移動型Ｘ線診断装置では、操作者が装置のフロント側とリア側とを何度も行き来する場合が生じ、作業負荷がかかる場合がある。図２は、従来技術に係る移動型Ｘ線診断装置の全体構成の一例を示す図である。ここで、図２に示すフロント側とは、Ｘ線管を支持するアームや支柱などの支持機構が設けられた側を示し、リア側とは、装置を走行させる操作ハンドルが設けられた側を示す。例えば、従来技術に係る移動型Ｘ線診断装置は、図２に示すように、装置本体１９のリア側にＦＰＤ１１を収納する収納部２０が設けられる場合が多い。このため、Ｘ線画像の撮影に際し、操作者が装置のフロント側とリア側とを何度も行き来する場合が生じる。
【００１９】
以下、図３を用いて、従来技術に係る移動型Ｘ線診断装置を用いたＸ線画像の撮影フローの一例を説明する。図３は、従来技術に係る移動型Ｘ線診断装置を用いたＸ線画像の撮影フローの一例を示す図である。ここで、図３の（Ａ）は、装置を中心とした操作者（技師）のフロント側及びリア側への行き来を示す。また、図３の（Ｂ）は、図３の（Ａ）の各番号に対応する処理を示す。
【００２０】
例えば、操作者は、移動型Ｘ線診断装置によってＸ線画像を撮影する際に、図３の（Ａ）に示すように、フロント側とリア側とを８回行き来する。すなわち、図３の（Ｂ）に示すように、操作者は、まず、リア側の操作ハンドルを操作しながら病室まで装置を移動させる。そして、病室に移動すると、操作者は、Ｘ線照射位置の設定（例えば、Ｘ線管／照射野絞りのポジショニング）を行なうために、フロント側へ移動する（図３の「１」）。
【００２１】
そして、操作者は、Ｘ線照射位置の設定を終えると、リア側に移動してリア側に収納されているＦＰＤ１１を取り出し（図３の「２」）、フロント側にまわってＦＰＤ１１をセッティングする（図３の「３」）。そののち、操作者は、リア側に移動してＸ線画像を撮影して（図３の「４」）、撮影後のＦＰＤ１１を回収するためにフロント側に移動する（図３の「５」）。
【００２２】
ＦＰＤ１１を回収すると、操作者は、リア側に移動して、回収したＦＰＤ１１を収納部２０に収納する（図３の「６」）。その後、操作者は、フロント側に移動して、Ｘ線管を収納したり、撮影制御系の電源をＯＦＦしたりした後（図３の「７」）、リア側に移動して、操作ハンドルを持って病室から退避する（図３の「８」）。このように、従来の移動型Ｘ線診断装置においては、Ｘ線画像を撮影する際に操作者がフロント側とリア側とを行き来することとなり、作業負荷がかかる。
【００２３】
さらに、従来技術に係る移動型Ｘ線診断装置に備えられた収納部２０は、図２に示すように、袋型（上面にＦＰＤ１１を出し入れするための開口部分がある形状）であり、装置本体１９に固定されているため、重いＦＰＤ１１を上方に持ち上げて出し入れすることとなり、非力な操作者（特に女性など）にとって負担となる場合がある。また、上方に持ち上げて出し入れするため、支柱やアームなどが邪魔になってしまう場合がある。
【００２４】
そこで、本願にかかる移動型Ｘ線診断装置１は、ＦＰＤ１１の出し入れを容易に行なうことを可能にする収納部１０をフロント側に設けることで、Ｘ線検出器の使用時の作業負荷を低減させることを可能にする。以下、収納部１０の詳細について説明する。
【００２５】
第１の実施形態に係る収納部１０は、装置本体９の支持機構側にＸ線を検出するＸ線検出器を収納し、装置本体９の側面の方向からＸ線検出器を出し入れ可能に設けられる。具体的には、収納部１０は、装置本体９のフロント側に、装置本体９の側面（走行方向に直交する方向）からＦＰＤなどを出し入れ可能に設けられる。図４は、第１の実施形態に係る収納部１０の一例を示す図である。なお、図４における（Ｂ）は、（Ａ）に示す矢印３０の方向から収納部１０を見た場合の図を示す。
【００２６】
図４の（Ａ）に示すように、収納部１０は、支柱２及びアーム３などの支持機構側に突出するように装置本体９に設けられ、装置本体９の走行方向と平行となる両側面と同一の面それぞれに開口部分を有する。すなわち、収納部１０は、図４の（Ａ）に示すように、側面が開放されており、側面方向からＦＰＤ１１を出し入れすることが可能である。なお、図４の（Ａ）においては、収納部１０の一方の側面のみが示されているが、収納部１０の反対側の側面も同様に開口部分を有しており、両側面方向からＦＰＤ１１を出し入れすることが可能である。
【００２７】
ここで、収納部１０は、Ｘ線検出器の収納部分の底部に、開口部分に向かって所定の勾配で高くなる立上部を有する。例えば、収納部１０は、図４の（Ｂ）に示すように、ＦＰＤ１１の収納部分の底部の両端に、端に向かって高くなる立上部１０ａを有する。これにより、移動型Ｘ線診断装置１の移動時にＦＰＤ１１が飛び出さないようにすることができる。また、収納部１０が所定の勾配がある立上部１０ａを有することで、図４の（Ｂ）に示すように、ＦＰＤ１１の出し入れ時に、ＦＰＤ１１を垂直に持ち上げることなく、斜め方向に移動させるだけで出し入れすることができ、ＦＰＤ１１の出し入れを容易に行なわせることができる。
【００２８】
なお、移動型Ｘ線装置１の移動時にＦＰＤ１１が飛び出さないようにするための構成としては、図示した立上部１０ａを有することだけではなく、例えば、立上部１０ａの代わりにＦＰＤ１１を挟み込んで固定するような構成であってもよく、或いは、収納部１０の側面の開口部分にストッパーを設ける構成であってもよい。
【００２９】
ここで、立上部１０ａは、Ｘ線検出器による加重に応じて高さが変化する。図５は、第１の実施形態に係る立上部１０ａの構成の一例を示す図である。図５においては、図４の（Ａ）に示す矢印３０の方向から収納部１０を見た場合の図を示す。例えば、立上部１０ａは、図５の（Ａ）に示すように、バネ１０ｂを有し、ＦＰＤ１１による加重によって立上部１０ａの上面が上下する。これにより、例えば、ＦＰＤ１１を出す場合や、収納する場合に、立上部１０ａの上面を収納部１０の収納部分と同じ高さにすることができ、ＦＰＤ１１を大きく持ち上げることなく、ＦＰＤ１１の出し入れを行なうことができる。なお、図５においては、向かって右側にある立上部１０ａの高さが変化する場合について図示しているが、向かって左側にある立上部１０ａについても同様に高さが変化する。
【００３０】
なお、立上部１０ａの高さを変化させるための構成は、図５に示すバネ１０ｂだけに限られず、例えば、ゴムなどの弾性体が用いられる場合であってもよい。また、収納部１０の両側の立上部１０ａをリンクさせて動かすようにしてもよい。例えば、ＦＰＤ１１によって加重された側の立上部１０ａの高さが下がると、他方の立上部１０ａの高さが上がるような構成を備える場合であってもよい。また、立上部１０ａの高さを固定させるためのロック機構を備える場合であってもよい。
【００３１】
上述したように、第１の実施形態によれば、装置本体９は、Ｘ線管４によるＸ線の発生を制御する。支柱２及びアーム３などの支持機構は、Ｘ線管４を支持する。そして、収納部１０は、装置本体９の支持機構側にＸ線を検出するＸ線検出器を格納し、装置本体９の側面の方向からＸ線検出器を出し入れ可能に設けられる。従って、第１の実施形態に係る移動型Ｘ線診断装置１は、ＦＰＤ１１などのＸ線検出器を使用する際の操作者のフロント側とリア側とを行き来を抑止することができ、Ｘ線検出器の使用時の作業負荷を低減させることを可能にする。
【００３２】
例えば、第１の実施形態に係る移動型Ｘ線診断装置１を用いたＸ線画像の撮影フローでは、まず、操作者は、リア側の操作ハンドルを操作しながら病室まで装置を移動させる。そして、病室に移動すると、操作者は、Ｘ線照射位置の設定（例えば、Ｘ線管／照射野絞りのポジショニング）を行なうために、フロント側へ移動し、Ｘ線照射位置の設定を終えると、収納部１０からＦＰＤ１１を出して、セッティングする。そののち、操作者は、リア側に移動してＸ線画像を撮影し、撮影後のＦＰＤ１１を回収するためにフロント側に移動する。ＦＰＤ１１を回収すると、操作者は、回収したＦＰＤ１１を収納部１０に収納する。その後、操作者は、Ｘ線管を収納したり、撮影制御系の電源をＯＦＦしたりした後、リア側に移動して、操作ハンドル８を持って病室から退避する。
【００３３】
すなわち、第１の実施形態に係る移動型Ｘ線診断装置１を用いることで、図３に示すＸ線画像の撮影フローにおける、ＦＰＤ１１を取り出すためのリア側への移動（図３の「２」）、ＦＰＤ１１をセッティングするためのフロント側への移動（図３の「３」）、ＦＰＤ１１を収納するためのリア側への移動（図３の「６」）、及び、Ｘ線管を収納したり、撮影制御系の電源をＯＦＦしたりするためのフロント側への移動（図３の「７」）を省略することができる。
【００３４】
また、第１の実施形態に係る移動型Ｘ線診断装置１は、ＦＰＤ１１などの重いＸ線検出器を上方に持ち上げることなく、収納部１０の側面から出し入れさせることができ、非力な操作者であっても収納を容易に行なわせることができる。
【００３５】
また、第１の実施形態によれば、収納部１０は、支持機構側に突出するように装置本体９に設けられ、装置本体９の走行方向と平行となる両側面と同一の面それぞれに開口部分を有する。従って、第１の実施形態に係る移動型Ｘ線診断装置１は、装置本体９の両側面からＦＰＤ１１を容易に出し入れすることを可能にする。
【００３６】
また、第１の実施形態によれば、収納部１０は、ＦＰＤ１１の収納部分の底部に、開口部分に向かって所定の勾配で高くなる立上部１０ａを有する。従って、第１の実施形態に係る移動型Ｘ線診断装置１は、移動時にＦＰＤ１１が飛び出すことを抑止することを可能にする。
【００３７】
また、第１の実施形態によれば、立上部１０ａは、ＦＰＤ１１による加重に応じて高さが変化する。従って、第１の実施形態に係る移動型Ｘ線診断装置１は、移動時にＦＰＤ１１が飛び出すことを抑止しつつ、ＦＰＤ１１の出し入れをさらに容易にすることを可能にする。
【００３８】
（第２の実施形態）
上述した第１の実施形態では、収納部１０が両側面に開口部分を有する場合について説明した。第２の実施形態では、収納部１０が回転することで、上面に設けられた開口部分を装置本体９の側面に向かす場合について説明する。
【００３９】
具体的には、第２の実施形態に係る収納部１０は、支柱２やアーム３などの支持機構側に突出するように装置本体９に設けられ、装置本体９の走行方向と平行となる方向を回転軸として回転することで、Ｘ線検出器が出し入れされる開口部分が側面の方向に向くように設けられる。図６は、第２の実施形態に係る収納部１０の一例を示す図である。なお、図６における（Ｂ）は、（Ａ）に示す矢印３０の方向から収納部１０を見た場合の図を示す。
【００４０】
例えば、第２の実施形態に係る収納部１０は、図６の（Ａ）に示すように、ＦＰＤ１１が出し入れされる開口部分が上面のみに設けられる。ここで、収納部１０は、図６の（Ａ）に示すように、装置本体９と回転軸１２を介して接続される。回転軸１２は、装置本体９の走行方向と平行な方向で回転する軸である。すなわち、収納部１０は、回転軸１２を軸として回転することで、ＦＰＤ１１が出し入れされる開口部分が装置本体９の側面を向くように装置本体９と接続される。
【００４１】
ここで、収納部１０は、図６の（Ｂ）の左側の図に示すように、左右両側に回転することができる。これにより、操作者は、自身が立っている側に収納部１０を傾けてＦＰＤを出し入れすることができる。例えば、操作者は、図６の（Ｂ）に示すように、収納部１０を右方向に回転させることで、開口部分を右側に傾けてＦＰＤ１１を出し入れする。
【００４２】
このように、第２の実施形態に係る収納部１０は、装置本体９の側面の方向に開口部分を自由に向けることができ、ＦＰＤ１１の出し入れを容易にすることができる。例えば、第２の実施形態に係る収納部１０は、背の高い操作者が利用する場合、背の低い操作者が利用する場合、或いは、Ｘ線画像を撮影する場所の環境（例えば、周囲に物が多く、ＦＰＤ１１の取り出し方向が限定される場合など）に対してそれぞれ最適な向きでＦＰＤ１１を出し入れすることを可能にする。
【００４３】
ここで、収納部１０の回転は、例えば、左右両側にそれぞれ９０°回転することができるように設けられる。これにより、例えば、ＦＰＤ１１を横方向から出し入れすることができる。また、回転軸１２の部分にフリクションを設置することで、回転の摩擦係数を向上させて、回転させた位置で収納部１０を固定させることも可能である。
【００４４】
また、収納部１０の回転をフリーな状態にし、収納部１０における重心を回転軸１２との接続部分よりも低い位置に設定することで、回転させた後に自動でもとに戻るようにすることも可能である。これにより、例えば、ＦＰＤ１１を出す際に収納部１０を回転させて斜め方向でＦＰＤ１１を抜き出した場合にも、収納部１０は開口部分が上面に向くように元に戻る。さらに、ＦＰＤ１１の加重によってロックが解除するロック機構を回転軸１２に設けることも可能である。かかる場合、ＦＰＤ１１を収納部１０から抜き出すと、加重がなくなるため回転軸１２にロックがかかり、収納部１０が斜めの状態で固定される。そして、ＦＰＤ１１を収納部１０に収納すると、ロックが解除され、収納部１０は開口部分が上面に向くように元に戻る。このように設計することで、収納部１０をより利用しやすくすることも可能である。なお、上述した回転する収納部１０の両側面に第１の実施形態で説明した開口部分を備えさせる場合であってもよい。例えば、両側面の真ん中程度までの開口部分を備えさせることで、収納部１０を斜めして出し入れする際に生じるＸ線検出器と収納部１０の内側との摩擦が減り、Ｘ線検出器の出し入れをよりスムーズにすることができる。
【００４５】
上述したように、第２の実施形態によれば、支柱２やアーム３などの支持機構側に突出するように装置本体９に設けられ、装置本体９の走行方向と平行となる方向を回転軸１２として回転することで、ＦＰＤ１１が出し入れされる開口部分が側面の方向に向くように設けられる。従って、第２の実施形態に係る移動型Ｘ線診断装置１は、装置本体９の両側面から自由な角度でＦＰＤ１１を出し入れすることができ、ＦＰＤ１１の出し入れをより容易にすることを可能にする。
【００４６】
（第３の実施形態）
さて、これまで第１及び第２の実施形態について説明したが、上述した第１及び第２の実施形態以外にも、種々の異なる形態にて実施されてよいものである。
【００４７】
上述した第１及び第２の実施形態において説明した収納部１０の形状はあくまでも一例であって、任意の形状にすることが可能である。例えば、ＦＰＤ１１が収納される収納部分（収納部１０の内部）が四角であり、外側の形状が円状であってもよい。
【００４８】
また、上述した第１の実施形態において説明した両側面に開口部分を有する収納部１０、及び、第２の実施形態において説明した回転する収納部１０は、リア側または装置本体側面に設置する場合であってもよい。すなわち、収納部１０は、装置本体９における支持機構側（フロント側）及び支持機構側に対向する側（リア側）にそれぞれ備えられる場合であってもよい。図７は、第３の実施形態に係る移動型Ｘ線診断装置１の全体構成の一例を示す図である。例えば、移動型Ｘ線診断装置１は、図７に示すように、装置本体９のフロント側に収納部１０が備わるとともに、装置本体９のリア側にもＦＰＤ１１やＩＰプレートなどを収納する収納部１０を備えてもよい。ここで、装置本体９のリア側に設けられる収納部１０は、従来のような袋型の収納部でもよいが、図４に示すような両側面に開口部を有する収納部であってもよく、又は、図６に示すような回転する収納部であってもよい。
【００４９】
すなわち、装置本体９のリア側に設けられる収納部１０においても、装置本体９の側面の方向からＦＰＤ１１やＩＰプレートなどのＸ線検出器を出し入れ可能に設けることが可能である。これにより、リア側の収納部１０においても、重いＦＰＤ１１を上方に大きく持ち上げることなくＦＰＤ１１の出し入れを行なうことを可能にする。そして、図７に示すように、フロント側の収納部１０に加えて、リア側にも収納部１０を設けることで、Ｘ線検出器の使用時の負荷をさらに低減させることができる。
【００５０】
上述したように、移動型Ｘ線診断装置１は、患者のいる病室などに移動されて使用される。例えば、病室では、患者が寝ているベッドの周辺には様々なものがあり、十分なスペースがあるとは限らない。そのような状況で、移動型Ｘ線診断装置１を使用する場合、Ｘ線検出器の出し入れをする際に必ずしもフロント側の位置の方が出し入れし易いとは限らない。例えば、フロント側が狭く、Ｘ線検出器の出し入れがしにくい場合や、フロント側に点滴などの管があり、引っかけてしまう恐れがある場合、或いは、単純にフロント側よりもリア側の方が近くにある場合などがある。このような場合、フロント側の収納部１０にＸ線検出器を収納するよりも、リア側の収納部１０にＸ線検出器を収納した方がより安全であり、操作者の負荷をより低減することができる。そして、例えば、Ｘ線検出器として重いＦＰＤ１１が用いられる場合には、操作者の負荷をより低減することができる。
【００５１】
ここで、フロント側の収納部１０とリア側の収納部１０とは、形状を任意に組み合わせて設置させることができる。例えば、フロント側の収納部１０及びリア側の収納部１０が、両方とも両側面に開口部を有する収納部であってもよく、或いは、両方とも回転する収納部であってもよい。また、フロント側の収納部１０が両側面に開口部を有する収納部であり、リア側の収納部１０が回転する収納部であってもよい。或いは、フロント側の収納部１０が回転する収納部であり、リア側の収納部１０が両側面に開口部を有する収納部であってもよい。
【００５２】
また、収納部１０は、例えば大きさの異なるＸ線検出器を複数枚収納する場合がある。そのような場合においても、フロント側・リア側の収納部１０をそれぞれ使い分けることができる。例えば検出面の大きなＸ線検出器をリア側、検出面の小さなＸ線検出器をフロント側に収納するなどにより、操作者は、大きさの異なるＸ線検出器をより好適に選択することが可能となる。ここで、仮に収納部１０が片側のみで、大きさの異なるＸ線検出器を複数枚収納する場合、複数枚のＸ線検出器を片側の収納部１０に収納しなくてはならず、操作者がＸ線検出器を出し入れする際（例えば、所望のサイズのＸ線検出部を選択して取り出す際など）に煩わしさを感じてしまう場合もある。
【００５３】
このように、装置本体９のフロント側とリア側の両側に収納部１０を設けることで、操作者の作業負荷を低減するとともに、複数枚のＸ線検出器を収納する場合にも使い易い移動型Ｘ線診断装置１を提供することができる。ここで、フロント側とリア側の両側に収納部１０を設けるという観点でいえば、フロント側の収納部１０（第１収納部）及びリア側の収納部１０（第２収納部）は、それぞれ従来の袋型の収納部であってもよい。
【００５４】
また、上述した第１及び第２の実施形態では、支柱２を有する移動型Ｘ線診断装置１を一例に挙げて説明したが、実施形態はこれに限定されるものではなく、例えば、支柱を有さない移動型Ｘ線診断装置に本願の収納部１０を適用する場合であってもよい。
【００５５】
また、上述した第１及び第２の実施形態において、説明した構成はあくまでも一例であり、本願にかかる移動型Ｘ線診断装置１は、種々の構成を有することができる。例えば、図１に示す装置本体９や、Ｘ線管４、Ｘ線可動絞り５などの形状は、任意の形状であってよい。また、装置本体９に備えられるものとして説明した構成は、任意に配置を変えることができる。例えば、装置本体９に備えられるものとした高電圧発生部は、Ｘ線管４を含むボックス内に配置する場合であってもよい。
【００５６】
以上説明したとおり、第１、第２及び第３の実施形態によれば、本実施形態の移動型Ｘ線診断装置は、Ｘ線検出器の使用時の作業負荷を低減させることを可能にする。
【００５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１  移動型Ｘ線診断装置
２  支柱
３  アーム
４  Ｘ線管
８  操作ハンドル
９  装置本体
１０  収納部
１０ａ  立上部
１０ｂ  バネ
１１  ＦＰＤ
【図１】
2015083126.tif 000003
【図２】
2015083126.tif 000004
【図３】
2015083126.tif 000005
【図４】
2015083126.tif 000006
【図５】
2015083126.tif 000007
【図６】
2015083126.tif 000008
【図７】
2015083126.tif 000009